(57)【特許請求の範囲】
【請求項１】
点灯装置を収納する灯具本体と、該灯具本体の内部に設置され、下方に向けて光を照射する光源ユニットと、を備えた照明器具であって、
前記灯具本体を被取付け部に取り付けるための取付け部と、
外部から採光するために前記灯具本体に開口された採光部と、
該採光部を介して入射した光を検出する入光面を有し、その光の明るさに基づく信号を前記点灯装置に送信する自動点滅器と、
前記自動点滅器の前記入光面を覆い、透光性を有するカバーと、
該カバーを覆い、前記入光面の垂直方向が開口されたパッキンと、
前記自動点滅器を前記灯具本体に固定する固定部材と、
を備え、
前記採光部は、前記灯具本体の長手方向の前記被取付け部とは反対側の上端部近傍に形成され、
前記自動点滅器は、
外部から該採光部を介して前記入光面に光が入射するように、該入光面が前記採光部の開口面と対向して配置され、
前記取付け部によって前記被取付け部に前記灯具本体が取り付けられたときに、前記入光面の垂直方向が前記被取付け部側と反対側の向きとなるように、前記灯具本体に固定され、
前記パッキンは、
該固定部材によって、前記自動点滅器が前記灯具本体に固定され、前記入光面が前記採光部側に押し付けられることによって、前記採光部に嵌め込まれている
ことを特徴とする照明器具。
【請求項２】
点灯装置を収納する灯具本体と、該灯具本体の内部に設置され、下方に向けて光を照射する光源ユニットと、を備えた照明器具であって、
前記灯具本体を被取付け部に取り付けるための取付け部と、
外部から採光するために前記灯具本体に開口された採光部と、
該採光部を介して入射した光を検出する入光面を有し、その光の明るさに基づく信号を前記点灯装置に送信する自動点滅器と、
前記自動点滅器の前記入光面を覆い、透光性を有する板状のカバーと、
該カバーに当接し、その当接面とは反対側の面から筒状に立設された筒状部を有したパッキンと、
前記自動点滅器を前記灯具本体に固定する固定部材と、
を備え、
前記採光部は、前記灯具本体の長手方向の前記被取付け部とは反対側の上端部近傍に形成され、
前記カバー、及び、該カバーに当接した前記パッキンは、前記筒状部が前記採光部に嵌め込まれた状態で、前記灯具本体に固定され、
前記自動点滅器は、
外部から該採光部を介して前記入光面に光が入射するように、該入光面が前記採光部の開口面と対向して配置され、
前記取付け部によって前記被取付け部に前記灯具本体が取り付けられたときに、前記入光面の垂直方向が前記被取付け部側と反対側の向きとなるように、前記灯具本体に固定され、
前記固定部材によって、前記入光面が前記パッキンの前記筒状部の開口面と対向するように固定された
ことを特徴とする照明器具。
【請求項３】
前記自動点滅器は、前記取付け部によって前記被取付け部に前記灯具本体が取り付けられたときに、前記入光面の垂直方向が水平面より上向きとなるように、前記灯具本体に固定された
ことを特徴とする請求項１又は２記載の照明器具。
【発明の詳細な説明】
【技術分野】
【０００１】
本発明は、自動点滅器が取り付けられた照明器具に関する。
【背景技術】
【０００２】
従来の自動点滅器を備えた照明器具として、照明器具内部、かつ、照明器具が取り付けられる取付け部近傍に自動点滅器が取り付けて、外部が暗くなると自動点灯する自動点滅型の照明器具が提案されている（例えば、特許文献１参照）。
【先行技術文献】
【特許文献】
【０００３】
【特許文献１】特開平９−２７４８０９号公報（図１）
【発明の概要】
【発明が解決しようとする課題】
【０００４】
しかしながら、自動点滅器が照明器具の取付け部近傍に設置され、かつ、自動点滅器の光を受ける受光面が被取付け部（柱等）側に向いているので、被取付け部による影の影響を受けてしまい、その影響によって、昼間等であるにも関わらず、照明器具が点灯してしまうという問題点があった。
【０００５】
本発明は、上記のような課題を解決するためになされたものであり、被取付け部による影の影響を軽減することが可能な自動点滅型の照明器具を得ることを目的とする。
【課題を解決するための手段】
【０００６】
本発明に係る照明器具は、点灯装置を収納する灯具本体と、該灯具本体の内部に設置され、下方に向けて光を照射する光源ユニットと、を備えた照明器具であって、前記灯具本体を被取付け部に取り付けるための取付け部と、外部から採光するために前記灯具本体に開口された採光部と、該採光部を介して入射した光を検出する入光面を有し、その光の明るさに基づく信号を前記点灯装置に送信する自動点滅器と、前記自動点滅器の前記入光面を覆い、透光性を有するカバーと、該カバーを覆い、前記入光面の垂直方向が開口されたパッキンと、前記自動点滅器を前記灯具本体に固定する固定部材と、を備え、前記採光部は、前記灯具本体の長手方向の前記被取付け部とは反対側の上端部近傍に形成され、前記自動点滅器は、外部から該採光部を介して前記入光面に光が入射するように、該入光面が前記採光部の開口面と対向して配置され、前記取付け部によって前記被取付け部に前記灯具本体が取り付けられたときに、前記入光面の垂直方向が前記被取付け部側と反対側の向きとなるように、前記灯具本体に固定され、前記パッキンは、該固定部材によって、前記自動点滅器が前記灯具本体に固定され、前記入光面が前記採光部側に押し付けられることによって、前記採光部に嵌め込まれている。
【発明の効果】
【０００７】
本発明によれば、自動点滅器が、その入光面の垂直方向が灯具本体が取り付けられた被取付け部側とは反対側の向きとなるように灯具本体に取り付けられていることによって、被取付け部の影の影響を受けて、昼間等にも関わらず、照明器具が点灯してしまうことを軽減することができる。
【図面の簡単な説明】
【０００８】
【図１】本発明の実施の形態１に係る自動点滅型の照明器具１の側面図である。
【図２】本発明の実施の形態１に係る照明器具１の平面図である。
【図３】本発明の実施の形態１に係る照明器具１の正面図である。
【図４】本発明の実施の形態１に係る照明器具１の図２におけるＡ−Ａ断面図である。
【図５】本発明の実施の形態１に係る照明器具１の分解斜視図である。
【図６】本発明の実施の形態１に係る照明器具１の自動点滅器２ｇ近傍の部品の分解斜視図である。
【図７】本発明の実施の形態１に係る照明器具１の自動点滅器２ｇ近傍の部品を組み合わせたものの斜視図である。
【図８】本発明の実施の形態２に係る自動点滅型の照明器具１ａの側面図である。
【図９】本発明の実施の形態２に係る照明器具１ａの平面図である。
【図１０】本発明の実施の形態２に係る照明器具１ａの正面図である。
【図１１】本発明の実施の形態２に係る照明器具１ａの図９におけるＢ−Ｂ断面図である。
【図１２】本発明の実施の形態２に係る照明器具１ａの分解斜視図である。
【図１３】本発明の実施の形態２に係る照明器具１ａの自動点滅器２ｇ近傍の部品の分解斜視図である。
【図１４】本発明の実施の形態２に係る照明器具１ａの自動点滅器２ｇ近傍の部品を組み合わせたものの斜視図である。
【発明を実施するための形態】
【０００９】
実施の形態１．
（照明器具１の構成）
図１は、本発明の実施の形態１に係る自動点滅型の照明器具１の側面図であり、図２は、同照明器具１の平面図であり、図３は、同照明器具１の正面図であり、そして、図４は、同照明器具１の図２におけるＡ−Ａ断面図である。
【００１０】
図１で示されるように、本実施の形態１に係る照明器具１は、自動点滅型のものであり、灯具本体２と、この灯具本体２の下面側を覆うように固定された透光性の下面カバー３と、を備えている。
【００１１】
灯具本体２は、照明器具１を電柱等の被取付け部に取り付けるための取付け部２ａと、灯具本体２の長手方向の取付け部２ａとは反対側において形成され、下面カバー３を回動自在に取り付けるための本体回転軸受部２ｂと、灯具本体２の長手方向の取付け部２ａ側において形成され、灯具本体２に固定するための固定部２ｃと、灯具本体２の長手方向の被取付け部側とは反対側の上端部近傍に形成され、外部から採光するように開口された採光部２ｄと、を有している。また、灯具本体２は、照明器具１が被取付け部に取り付けられた際に下方を照射するように設置された光源ユニット２ｆと、その光源ユニット２ｆを点灯するために灯具本体２の上部に内蔵された点灯装置２ｅと、採光部２ｄに入射した光を検出し、その光の明るさに基づいて光源ユニット２ｆに点灯させるか消灯させるかの信号を点灯装置２ｅに送信する自動点滅器２ｇと、を有している。この自動点滅器２ｇ近傍の構成については、図５〜図７において詳述する。
【００１２】
下面カバー３は、本体回転軸受部２ｂに軸４を介して取り付けられるカバー回転軸受部３ａと、下面カバー３の長手方向のカバー回転軸受部３ａとは反対側において形成され、固定部２ｃにネジ２ｍによって固定される固定穴３ｂと、下面カバー３の内部に設置され、光源ユニット２ｆが発する光を透過する透光部３ｃと、その透光部３ｃのさらに外側を覆い、透光性を有しつつも、照明器具１本体内部が見えないようにすり硝子状に形成されたカバー部３ｄと、を有している。
【００１３】
以上の構成のように、ネジ２ｍを外すことによって、灯具本体２の固定部２ｃと、下面カバー３の固定穴３ｂとの固定状態が解放され、軸４によって連結された本体回転軸受部２ｂ及びカバー回転軸受部３ａの部分において、下面カバー３が、灯具本体２に対して、軸４を中心に回動可能となる。
【００１４】
（自動点滅器２ｇ近傍の構成）
図５は、本発明の実施の形態１に係る照明器具１の分解斜視図であり、図６は、同照明器具１の自動点滅器２ｇ近傍の部品の分解斜視図であり、そして、図７は、同照明器具１の自動点滅器２ｇ近傍の部品を組み合わせたものの斜視図である。
【００１５】
図４で示されるように、自動点滅器２ｇは、灯具本体２の長手方向の本体回転軸受部２ｂ側の灯具本体２内部に配設され、Ｌ字状に折り曲げて形成された板状のアングル２ｈを介して、灯具本体２に取り付けられている。具体的には、アングル２ｈのＬ字状に折り曲げられた一方の面には、２つのアングル取付穴２ｈａが穿設されており、アングル２ｈは、このアングル取付穴２ｈａを介してネジ２ｎによって灯具本体２に固定される。また、図６で示されるように、アングル２ｈのＬ字状に折り曲げられた他方の面には、２つの自動点滅器取付け穴２ｈｂが穿設されており、また、自動点滅器２ｇは、アングル２ｈに固定するための取付け用穴２ｇｂが穿設され、取付け用切欠き２ｇｃが形成されている。そして、この取付け用穴２ｇｂ及び取付け用切欠き２ｇｃが、それぞれアングル２ｈの２つの自動点滅器取付け穴２ｈｂにネジ（図示せず）によって固定されることによって、自動点滅器２ｇがアングル２ｈに固定される（図７参照）。以上のような態様で、自動点滅器２ｇは、アングル２ｈを介して、灯具本体２に取付けられる。
【００１６】
また、自動点滅器２ｇは、アングル２ｈに固定される面とは反対側の面に、外部から採光、すなわち、光を検出する凸状の入光面２ｇａを備えており、この凸状の入光面２ｇａは、透光性の材質で形成されたカバー２ｉで覆われる。また、このカバー２ｉは、円筒状のパッキン２ｊに嵌め込まれ（図７参照）、さらにこのパッキン２ｊは、灯具本体２に形成された採光部２ｄに嵌め込まれる（図４参照）。以上のような態様で、自動点滅器２ｇは、アングル２ｈを介して灯具本体２に固定され、自動点滅器２ｇの入光面２ｇａは、カバー２ｉ及びパッキン２ｊによって採光部２ｄに固定され、そして、自動点滅器２ｇは、灯具本体２の長手方向、すなわち、照明器具１の長手方向の被取付け部とは反対側の端部に取り付けられ、その入光面２ｇａの垂直方向が少なくとも水平面より上向き、かつ、被取付け部側と反対側の向きとなるように取り付けられることになる。このような構成によって、自動点滅器が照明器具の取付け部近傍に設置され、かつ、自動点滅器の受光面が被取付け部側に向いていることによって、被取付け部による影の影響を受け、昼間等であるにも関わらず、照明器具が点灯してしまうという従来の問題点が軽減され、被取付け部の影の影響を少なくすることができる。
【００１７】
また、自動点滅器２ｇがアングル２ｈを介して灯具本体２に固定されることによって、入光面２ｇａが、カバー２ｉ及びパッキン２ｊを介して、採光部２ｄ近傍の灯具本体２の内面に押し付けられることになる。この構成によって、灯具本体２の内部の密閉性が確保され、採光部２ｄから灯具本体２の内部に雨等の水の浸入を抑制することができる。
【００１８】
なお、灯具本体２をアングル２ｈによって灯具本体２に固定することによって、入光面２ｇａが灯具本体２の内面に押し付けられるものとしたが、この構成に限定されるものではなく、灯具本体２に対して自動点滅器２ｇが固定され、かつ、入光面２ｇａが灯具本体２の内面に押し付けられる固定方法であればいずれのものでもよい。
【００１９】
また、自動点滅器２ｇは、照明器具１の長手方向の被取付け部とは反対側の端部に取り付けられ、その入光面２ｇａが少なくとも水平より上向きとなるように取り付けられるものとしたが、その入光面２ｇａの向きは図４で示されるものに限定されるものではなく、例えば、照明器具１が取付けられる場所に応じて、アングル２ｈの形状等により向きを変更させるものとしてもよい。したがって、照明器具１が取り付けられる態様（例えば、太陽光に合わせて設置した場合等）によっては、入光面２ｇａが水平より上向きとしなくてもよく、このような場合でも、上記の効果を得ることは可能である。
【００２０】
また、アングル２ｈは、本発明の「固定部材」に対応する。
【００２１】
実施の形態２．
本実施の形態に係る照明器具１ａについて、実施の形態１に係る照明器具１と相違する点を中心に説明する。
【００２２】
（照明器具１ａの構成）
図８は、本発明の実施の形態２に係る自動点滅型の照明器具１ａの側面図であり、図９は、同照明器具１ａの平面図であり、図１０は、同照明器具１ａの正面図であり、そして、図１１は、同照明器具１ａの図９におけるＢ−Ｂ断面図である。
【００２３】
本実施の形態に係る照明器具１ａの構成は、実施の形態１に係る照明器具１の構成とほぼ同様であるが、図１１で示されるように、自動点滅器２ｇの入光面２ｇａ側に配設されるカバー２ｋ及びパッキン２ｌの構成が異なる。このカバー２ｋ及びパッキン２ｌを含めた自動点滅器２ｇ近傍の構成については、図１２〜図１４において詳述する。
【００２４】
（自動点滅器２ｇ近傍の構成）
図１２は、本発明の実施の形態２に係る照明器具１ａの分解斜視図であり、図１３は、同照明器具１ａの自動点滅器２ｇ近傍の部品の分解斜視図であり、そして、図１４は、同照明器具１ａの自動点滅器２ｇ近傍の部品を組み合わせたものの斜視図である。
【００２５】
図１１で示されるように、実施の形態１と同様に、自動点滅器２ｇは、灯具本体２の長手方向の本体回転軸受部２ｂ側の灯具本体２内部に配設され、Ｌ字状に折り曲げて形成された板状のアングル２ｈを介して、灯具本体２に取り付けられている。具体的な取り付けの態様は、実施の形態１と同様である。
【００２６】
また、自動点滅器２ｇの入光面２ｇａの前方側は、透光性の材質で形成された板状のカバー２ｋで覆われ、このカバー２ｋの入光面２ｇａ側とは反対面に、同じく板状のパッキン２ｌが当接される。このカバー２ｋにはカバー穴２ｋａが２つ穿設されており、カバー２ｋに当接するパッキン２ｌには、カバー穴２ｋａに対応する２か所にパッキン穴２ｌａが穿設されている。また、パッキン２ｌの中央には、カバー２ｋ側とは反対側の方向に向けて円筒部が立設されている（図１１参照）。この状態で、２組のカバー穴２ｋａ及びパッキン穴２ｌａには、それぞれ、カバー２ｋ側からネジ２ｏが挿通され、また、採光部２ｄの近傍には２つのネジ穴２ｐが形成されており、このネジ穴２ｐに、前述のネジ２ｏが螺入されることによって、パッキン２ｌの中央に立設された円筒部が採光部２ｄに嵌め込まれ、かつ、カバー２ｋ及びパッキン２ｌが灯具本体２に固定される。
【００２７】
以上の構成のように、自動点滅器２ｇがアングル２ｈを介して灯具本体２に取り付けられ、カバー２ｋ及びパッキン２ｌがネジ２ｏによって灯具本体２に固定されることによって、自動点滅器２ｇの入光面２ｇａと、パッキン２ｌの円筒部の開口部とが対向する配置関係となる。
【００２８】
以上のような態様で、自動点滅器２ｇは、アングル２ｈを介して灯具本体２に固定され、カバー２ｋ及びパッキン２ｌは、パッキン２ｌの円筒部の開口部が、入光面２ｇａと対向するように灯具本体２に固定され、そして、自動点滅器２ｇは、灯具本体２の長手方向、すなわち、照明器具１の長手方向の被取付け部とは反対側の端部に取り付けられ、その入光面２ｇａの垂直方向が少なくとも水平面より上向き、かつ、被取付け部側と反対側の向きとなるように取り付けられることになる。このような構成のように、ネジ２ｏによって、カバー２ｋ及びパッキン２ｌを灯具本体２に固定し、パッキン２ｌの円筒部が採光部２ｄに嵌め込まれているので、より安定的に密閉性を保つことができる。
【００２９】
なお、パッキン２ｌの円筒部は、本発明の「筒状部」に対応する。
【符号の説明】
【００３０】
１、１ａ  照明器具、２  灯具本体、２ａ  取付け部、２ｂ  本体回転軸受部、２ｃ  固定部、２ｄ  採光部、２ｅ  点灯装置、２ｆ  光源ユニット、２ｇ  自動点滅器、２ｇａ  入光面、２ｇｂ  取付け用穴、２ｇｃ  取付け用切欠き、２ｈ  アングル、２ｈａ  アングル取付穴、２ｈｂ  自動点滅器取付け穴、２ｉ  カバー、２ｊ  パッキン、２ｋ  カバー、２ｋａ  カバー穴、２ｌ  パッキン、２ｌａ  パッキン穴、２ｍ、２ｎ、２ｏ  ネジ、２ｐ  ネジ穴、３  下面カバー、３ａ  カバー回転軸受部、３ｂ  固定穴、３ｃ  透光部、３ｄ  カバー部、４  軸。
【図１】
0006004740.tif 000002
【図２】
0006004740.tif 000003
【図３】
0006004740.tif 000004
【図４】
0006004740.tif 000005
【図５】
0006004740.tif 000006
【図６】
0006004740.tif 000007
【図７】
0006004740.tif 000008
【図８】
0006004740.tif 000009
【図９】
0006004740.tif 000010
【図１０】
0006004740.tif 000011
【図１１】
0006004740.tif 000012
【図１２】
0006004740.tif 000013
【図１３】
0006004740.tif 000014
【図１４】
0006004740.tif 000015